(57)【要約】【目的】平板を巻き付けて固定し、立体化してブラシ機能を提供するものである。主な利用方法として金属タワシやスプレーノズル他、掃除用具に使用するもので、保護カバー機能とブラシ機能を有する。【構成】スポンジなどの弾力性平板に櫛状の切り込みを多数設け、金属タワシや、スプレーノズルの外周に巻き付けて固定することによって、保護カバー機能と同時に、切り込み部がやや周辺に放射状に開放され、ブラシ機能を提供するものである。【選択図】図１
2005118083.tif 000002
【特許請求の範囲】
【請求項１】
スポンジ、ナイロン繊維、合成樹脂等の単品または重合材よりなる弾力性のある平板の、長手方向の辺に直交する櫛状の切込みを多数設け、前記平板を巻回し、前記櫛状の切り込みが、放射状にやや開放してブラシ様の形態に保持するようにその周囲に着脱自在のベルトを装着し、平面状平板を立体化してブラシ機能を提供することを特徴とする巻き付けブラシ。
【請求項２】
スポンジ、ナイロン繊維、合成樹脂等の単品または重合材よりなる弾力性のある平板の、長手方向の辺に直交する櫛状の切込みを多数設け、短手方向の辺近傍に、ゴムなどの伸縮ベルトを設け、対向側短手方向の辺近傍に、支持用差込孔を設け、本体を巻回状態で固定支持、開放、を自在となすことを特徴とする巻き付けブラシ。
【発明の詳細な説明】
【技術分野】
【０００１】
平板を巻回することによって立体化し、ブラシ機能を提供するものであり、用途として、本体自体単体でのブラシ機能を提供することの他、主な使用目的は、掃除用具のタワシ類や、スプレーノズルの外周に巻回して着脱自在に取り付け、カバーとブラシの２機能を有するようにできるものである。
【背景技術】
【０００２】
従来のタワシや、ブラシは、固定された機能と形態をなし、それ自体の流動的な複数機能や構造の変化をもつものではなかった。平板状のスポンジタワシは、手でもつことによって用途に即した形状変化をつくるものであるが、立体的に支持できるものではない。
また、本発明の主なる用途の一つである金属タワシは、汚れをこすり落とすという目的のタワシであり、細いカールワイヤーを軽くまとめたものであり、どこにもその形状を維持できる保持機能がないものが通常である。従って使用するに従ってワイヤーが崩れてタワシ本体が広がり、ちぎれ易く、それを防ぐ方法として周囲にステンレス線の網を被せて、型崩れを防ぐ構造のものがある。また、メッシュ素材で帽子状にカバーをしたもの等もある。
さらに、汚れ落としの薬液を噴射するスプレーは、薬液を噴射する単一の機能のみで、噴射された薬液を広げる機能や、汚れをむらなく取り除く機能、ノズルから噴射される薬液が飛散するのを防ぐ機能などは全く存在しない。
【発明の開示】
【発明が解決しようとする課題】
【０００３】
本発明の用途とその課題について述べる。
本発明の主たる用途は、前記した金属タワシの外周に取り付けることにより、従来の金属タワシの弊害を防止し、さらに機能を向上させるのが目的の一つである。金属タワシの素材は細いカールワイヤーをまとめたものであって、使用するに従って型崩れがひどく、物に引っ掛かったり、爪を傷つけたりする弊害があった。型崩れを防ぐためのステンレス線の網は単価が高くなり、メッシュ素材の帽子様カバーは握りやすくカバーすると金属たわしの露出部が少なくなり過ぎ、タワシの機能を制約する。本発明は、金属タワシの型崩れを防止する保護カバーの役目と、ブラシとしての役目を果たすものである。
さらなる用途は、台所の油汚れを落とす洗剤のスプレーボトルや、浴室タイルのカビ落としの洗剤を噴霧するスプレーボトル類のノズルに取り付けるものである。
これらは強力な洗剤で、噴霧するときの薬液の飛散は、目や鼻に刺激を与え危険であり不快である。薬液がなぜ飛散するかと言えば、目的の部位より離れたところより噴射し、放射状に広がった霧が漂うことや、壁などに当たった薬液が跳ね返ってくることによる。構造的な原因は、スプレーのノズルが露出し、飛散防止の手段は全く存在しないことにある。また、噴霧するときには、ブラシやタワシ、雑巾などでむらなく広げたりこすりとったりする別の手段が必要である。つまり、両手を必ず必要とする作業である。  
本発明は、スプレーノズルに取り付け、従来の噴霧する作業とともに、薬液の飛散を防ぐ役目、目的のものに噴霧したときに薬液を広げたりこすったりするブラシの役目を片手で行うことができ、前記の欠点を解決する簡易な方法を提供するものである。
その他、浴室磨きや車用洗浄回転ブラシなどの水の飛び跳ねなどの課題を解決することも
できる。
またさらに、物品へ巻回することのみならず、それ自体を巻回固定して平板状の本体を立体化してブラシ状形態を形成することで持ちやすく、手の力のない人ができなかった汚れ落とし作業の制約を解決することもできる。
【課題を解決するための手段】
【０００４】
櫛状の切り込みを設けた弾力性のある平板を渦巻き状に巻回し、前記櫛状の切り込みが、放射状にやや開放してブラシ様の形態をベルトなどで巻き付け固定保持するようになすこと、および解放して取り外しを自在となすものである。
前記ブラシ本体を他の物品、例えば金属たわしの外周や、スプレーの噴射口ノズルの外周に巻き付け一体とし、巻き付け部をベルト等で巻回することによって弾力性の平板に設けた櫛状の切り込みが外方へ放射状にやや開がりブラシ様の形状を維持する。その結果、保護カバーとブラシの２機能を有するようになるものである。
取り付け方法は、金属タワシの場合は、タワシを適度な形に整え、その周囲に、巻き付けブラシ本体を密着させながら、巻き付け、その外側をベルトで固定する。ベルトが、弾力性のある、スポンジなどの素材に食い込む状態となり、ベルトの下側に設けた櫛状の切り込みが外側にやや広がり、金属タワシを使用する時にカバーが邪魔することなく、ブラシ機能も併せ持つことが出来る。
スプレーボトルの場合は、ボトルの噴射ノズルの下方にあるレバーに、巻き付けブラシ本体に設けた支持用差込孔にレバーを差込み、ノズル周囲に本体を巻き付け、レバー内側を周回しながらベルトで締め付けて固定する。これによって、ノズルの長さが短くても、使用時に脱落することなく、しっかりとノズルを覆うことができ、保護カバーの機能を発揮する。
さらに、スプレーした時、薬液が巻き付けブラシのスポンジ材で受け止められ、液垂れを防ぐことができる。また、同時に、別の手で、ブラシなどを持つことなく、片手でそのままブラシ機能を持つので、一方の手が空き、作業が安全にできる。
平板事態を巻回し、ベルトで固定し、立体化すれば、やわらかいスポンジを硬めの機能をもたせることができる。
【発明の効果】
【０００５】
金属タワシの周囲に本発明を取り付けることによってカールワイヤーを包み込むカバー効果と、櫛状の切り込みが、タワシの周囲に放射状にやや広がってブラシの効果の２機能と効果がある。カバーは、金属タワシの型崩れを防ぐことが出来るばかりでなく、手指の保護の作用もあり、さらに、スポンジ素材は、保水性があり、金属タワシにスポンジタワシの効果が複合され、洗剤などを含ませることができ洗浄効果が向上する。
スプレーノズルに取り付ける場合は、汚れを落とす部位に近づけて噴射することによって薬液が周囲に飛散することなく噴射される保護カバー効果と、巻き付けブラシ本体で薬液の液垂れを防ぎつつ、擦りながら広げる作用、擦り取る作用のブラシ効果の２機能と効果がある。従来は、片手にスプレーを持ち、他の一方の手で別のスポンジタワシや、雑巾などを持たなければならず、両手がふさがるために、高いところの掃除では、大変危険であったが、本発明を使用すれば、片手でできるので作業がし易い。
また、平板自体を巻回し立体化して使用した場合、手の力が弱い人でも汚れ落としの研磨作用の強化がなされる。
その他、浴室や車用の回転ブラシは、水の飛び跳ねが激しく周囲を汚したり、作業者自身に水や汚れの跳ねを受けたりしていたが、それらの器具の周囲に巻き付けるだけで、前記した欠点を解決するなど、様々な効果のある巻き付けブラシである。
【発明を実施するための最良の形態】
【０００６】
本発明の実施例を図面に従って説明する。
図１は本発明の実施例構造図を示す。巻き付けブラシ本体は、スポンジ、ナイロン繊維、合成樹脂など、硬軟素材を重合した弾力性素材平板１よりなるものを一例としている。合成樹脂材の重合体や、それぞれの部材単体にすることも可能である。薬液に対する強度は、スポンジのみでは耐久力に欠けることや、支持力に欠けることから、軟質のスポンジと、硬質のナイロン繊維や合成樹脂の重合体が適している。
平板１の長手方向に、辺に直交する櫛状切り込み２を多数設ける。切り込みの長さは、丈の二分の一以下が好ましい。平板１の短手方向の辺、上方角寄りにベルト固定孔３とゴムバンドのような弾性ベルト４を取り付ける。このベルトには、固定用フック５を取り付けている。このフックや、ベルトの種類は多様性を可能とし、一例を示している。平板１の短手方向の辺、対向側、角の近傍には、スプレーノズルなどで本体を支持するための支持用差込孔６を設ける。この支持用差込孔は、金属タワシなど支持部を必要としない場合は設けない場合も可能である。さらに、他の用途により、支持用差込孔の位置を変更することもできる。
図２は、金属タワシに使用する場合の使用例を表している。金属タワシ７の周囲に平板１を巻き付け、弾性ベルト４を伸ばしながら周回し、フック５をベルト固定孔３に掛けて固定する。バンド４の締め付けによって、櫛状切り込み２は、外側にやや開放し、タワシの使用部位を邪魔せず、保護カバーとして形状維持と、手指保護の機能を発揮する。タワシを使用するとき、周囲に保水性の部材があるので、洗剤などを使用するときに周囲への広がり過ぎを防ぐことが出来る。
図３は、スプレーボトル８に使用する場合の取り付け図を示す。
スプレーボトル８のレバー９を、平板１の支持用差込孔６に差込み、反対方向の平板１を外側から、ノズル１０の周囲に巻き付け、弾性ベルト４をレバー内側より周回して掛け回し、フック５を固定孔３に掛け取り付ける。
これによって、スプレーのノズルはカバーされる。ノズル穴の開閉は、先端が開放しているので、ノズルを自由に回動することができる。レバーを引いて薬液を噴射するときは、スプレーしたい部位に近づけて噴霧し、巻き付けブラシ本体で擦り、汚れを落とす作業ができる。
本体自体を巻回して使用する方法は、前記物品に取り付けるものに順ずるもので省略する。
【図面の簡単な説明】
【０００７】
【図１】巻き付けブラシ実施例構造図
【図２】金属タワシに使用した場合の使用例図
【図３】スプレーボトルに使用する場合の取り付け図
【符号の説明】
【０００８】
１    平板
２    櫛状切り込み
３    ベルト固定孔
４    弾性バンド
５    固定用フック
６    支持用差込み孔
７    金属タワシ
８    スプレーボトル
９    レバー
１０  ノズル
【図１】
2005118083.tif 000003
【図２】
2005118083.tif 000004
【図３】
2005118083.tif 000005